(57)【特許請求の範囲】
【請求項１】
蓋（２０）と、
略筒状の胴部材（１１）の一端の開口縁に沿って蓋取付座（１１ａ）を設け、他の一端をプルタブ（１２ａ）を有する底板（１２）により閉鎖してなる本体（１０）とからなる缶（１）において、
胴部材（１１）に設ける蓋取付座（１１ａ）は、胴部材（１１）の開口周縁部を内側に丸く巻き込んで円環状に形成されており、
蓋（２０）は、底面（２０ａ）の周縁に、上記円環状の蓋取付座（１１ａ）の内側に嵌入される短い筒状の胴部材（２０ｂ）を形成し、その胴部材（２０ｂ）の自由端側周縁部を外側に丸く巻き込んで本体（１０）の円環状の蓋取付座（１１ａ）に圧着され得る環状のストッパー（２０ｃ）を形成してなると共に、
蓋（２０）の底面（２０ａ）の外面側の少なくとも一部に、高さが胴部材（２０ｂ）の高さと等しい台部（２０ｄ）を設け、
当該台部（２０ｄ）は、蓋（２０）の底面（２０ａ）の少なくとも一部を外面側へ向けて膨出加工して成り、
台部（２０ｄ）の内側には充填材（２０ｅ）を充填し、当該充填材の内側表面（２０ｇ）の高さを蓋の底面（２０ａ）の内側平面（２０ｈ）と等しくしたこと、
を特徴とする上記の缶。
【請求項２】
蓋（２０）と、
略筒状の胴部材（１１）の一端の開口縁に沿って蓋取付座（１１ａ）を設け、他の一端をプルタブ（１２ａ）を有する底板（１２）により閉鎖してなる本体（１０）とからなる缶（１）において、
胴部材（１１）に設ける蓋取付座（１１ａ）は、胴部材（１１）の開口周縁部を内側に丸く巻き込んで円環状に形成されており、
蓋（２０）は、底面（２０ａ）の周縁に、上記円環状の蓋取付座（１１ａ）の内側に嵌入される短い筒状の胴部材（２０ｂ）を形成し、その胴部材（２０ｂ）の自由端側周縁部を外側に丸く巻き込んで本体（１０）の円環状の蓋取付座（１１ａ）に圧着され得る環状のストッパー（２０ｃ）を形成してなると共に、
蓋（２０）の底面（２０ａ）の外面側の少なくとも一部に、高さが胴部材（２０ｂ）の高さと等しい台部（２０ｄ）を設け、
当該台部（２０ｄ）は、蓋（２０）の底面（２０ａ）の少なくとも一部を外面側へ向けて膨出加工して成り、
台部の内側には、その内部に嵌まり得るよう予め成形された部材を嵌め込み、当該嵌込み部材の内側表面の高さを蓋の底面（２０ａ）の内側平面（２０ｈ）と等しくしたこと、
を特徴とする上記の缶。
【請求項３】
蓋（２０）と、
略筒状の胴部材（１１）の一端の開口縁に沿って蓋取付座（１１ａ）を設け、他の一端をプルタブ（１２ａ）を有する底板（１２）により閉鎖してなる本体（１０）とからなる缶（１）において、
胴部材（１１）に設ける蓋取付座（１１ａ）は、胴部材（１１）の開口周縁部を内側に丸く巻き込んで円環状に形成されており、
蓋（２０）は、底面（２０ａ）の周縁に、上記円環状の蓋取付座（１１ａ）の内側に嵌入される短い筒状の胴部材（２０ｂ）を形成し、その胴部材（２０ｂ）の自由端側周縁部を外側に丸く巻き込んで本体（１０）の円環状の蓋取付座（１１ａ）に圧着され得る環状のストッパー（２０ｃ）を形成してなると共に、
蓋（２０）の底面（２０ａ）の外面側の少なくとも一部に、高さが胴部材（２０ｂ）の高さと等しい台部（２０ｄ）を設け、
当該台部（２０ｄ）は、蓋（２０）の底面（２０ａ）の少なくとも一部を外面側へ向けて膨出加工して成り、
台部の内側開口部に小蓋を被せ、当該小蓋の内側表面の高さを蓋（２０）の底面（２０ａ）の内側平面（２０ｈ）と等しくしたこと、
を特徴とする上記の缶。
【請求項４】
台部の内側にくじ札を投入しておくことを特徴とする請求項３に記載の缶。
【請求項５】
台部の内側に景品を投入しておくことを特徴とする請求項３に記載の缶。
【請求項６】
蓋（２０）と、
略筒状の胴部材（１１）の一端の開口縁に沿って蓋取付座（１１ａ）を設け、他の一端をプルタブ（１２ａ）を有する底板（１２）により閉鎖してなる本体（１０）とからなる缶（１）において、
胴部材（１１）に設ける蓋取付座（１１ａ）は、胴部材（１１）の開口周縁部を内側に丸く巻き込んで円環状に形成されており、
蓋（２０）は、底面（２０ａ）の周縁に、上記円環状の蓋取付座（１１ａ）の内側に嵌入される短い筒状の胴部材（２０ｂ）を形成し、その胴部材（２０ｂ）の自由端側周縁部を外側に丸く巻き込んで本体（１０）の円環状の蓋取付座（１１ａ）に圧着され得る環状のストッパー（２０ｃ）を形成してなると共に、
蓋（２０）の底面（２０ａ）の外面側の少なくとも一部に、高さが胴部材（２０ｂ）の高さと等しい台部を設け、
当該台部が、所定の高さを有する部材を蓋の底面の外面側に取り付けてなること、
を特徴とする上記の缶。
【請求項７】
蓋の少なくとも一部に、缶の内外に連通し、かつ、缶の外側から剥離可能なテープによって封止されている通気孔を設けたことを特徴とする請求項１ないし６のいずれか一に記載の缶。
【請求項８】
本体（１０）に物品を投入した後にその開口の少なくとも一部を塞ぐように本体（１０）内部に嵌められ、周縁の少なくとも一部が本体（１０）の蓋取付座（１０ａ）に引っかかって物品と蓋（２０）とを仕切る内蓋（３０）を具備する請求項１ないし６のいずれか一に記載の缶（１）。
【請求項９】
内蓋と物品との間に、缶の底板のプルタブが引かれ、缶が開封されたときに、物品を缶の外に押し出し得るよう作用する弾性体が設けられる請求項８に記載の缶。
【発明の詳細な説明】
【０００１】
【発明の属する技術分野】
本発明は、利用者が所望の物品を投入して缶詰にする際に用いられる缶に関する。
【０００２】
【従来の技術】
利用者が缶の中に所望の物品を入れ、それを缶詰装置にセットして缶詰にするという技術は従来からある。
しかしながら、従来は、缶の中に利用者が物品を投入した後に蓋を被せ、その蓋をテープ等で仮止めしてから、缶詰装置にセットしなければならず、利用者の手間がかかるという問題があった。
また、従来の缶は、缶の開口縁と蓋の周縁とを従来の二重巻き締め方法等により封止するものであったため、封止を行なうための缶詰装置が不可欠であり、また、その構成も複雑になる上、封止できる缶の大きさや形状が極めて狭い範囲に限定されるという問題があった。
このため、消費者の購買意欲をそそらず、普及していない。
【０００３】
【発明が解決しようとする課題】
本発明は上記の問題を解決するためなされたものであり、その目的とするところは、所望の物品をその物品に応じた大きさや形状の缶に簡単に缶詰にできるようにすることにある。
【０００４】
【課題を解決するための手段】
上記の目的は、
蓋と、
略筒状の胴部材の一端の開口縁に沿って蓋取付座を設け、他の一端をプルタブを有する底板により閉鎖してなる本体とからなる缶において、
胴部材に設ける蓋取付座は、胴部材の開口周縁部を内側に丸く巻き込んで円環状に形成されており、
蓋は、底面の周縁に、上記円環状の蓋取付座の内側に嵌入される短い筒状の胴部材を形成し、その胴部材の自由端側周縁部を外側に丸く巻き込んで本体の円環状の蓋取付座に圧着され得る環状のストッパーを形成してなると共に、
蓋の底面の外面側の少なくとも一部に、高さが胴部材の高さと等しい台部を設け、
当該台部は、蓋の底面の少なくとも一部を外面側へ向けて膨出加工して成り、
台部の内側には充填材を充填し、当該充填材の内側表面の高さを蓋の底面の内側平面と等しくしたこと、
を特徴とする上記の缶によって達成される。
なお、上記台部が設けられる「蓋の底面の外面側」とは、缶の本体に蓋を嵌め込んで蓋を閉じたときに、蓋の底面で缶の外側に露出する側の面を指す。
また、「内側表面の高さ」とは、缶の本体に蓋を嵌め込んで蓋を閉じたときに、缶の本体の内部に臨む表面の高さを指す。
更にまた、本発明の前記の目的は、
前記台部が、蓋の底面の少なくとも一部を外面側へ向けて膨出加工して成り、
台部の内側には、その内部に嵌まり得るよう予め成形された部材を嵌め込み、当該嵌込み部材の内側表面の高さを蓋の底面の内側平面と等しくしたこと、を特徴とする前記の缶によっても達成できる。
また、本発明の前記の目的は、
前記台部が、蓋の底面の少なくとも一部を外面側へ向けて膨出加工して成り、
台部の内側開口部に小蓋を被せ、当該小蓋の内側表面の高さを蓋の底面の内側平面と等しくしたこと、を特徴とする前記の缶によっても達成できる。
更にまた、本発明の前記の目的は、
前記台部が、所定の高さを有する部材を蓋の底面の外面側に取り付けてなること、を特徴とする前記の缶によっても達成できる。
【０００５】
【発明の実施の形態】
以下、図面により本発明の詳細を説明する。
図１は本発明に係る缶の一実施例を示す立体構成断面図、図２は図１に示した缶の封止状態を示す部分断面図、図３は図２に示した本体部と蓋の結合状態を示す部分拡大断面図である。
まず、図１について説明する。
図中、１は缶、１０は本体、２０は蓋、３０は内蓋である。
【０００６】
本体１０は、円筒状の胴部材１１と、プルタブ１２ａを有し、胴部材１１の一端を閉鎖する底板１２とからなる。
底板１２は、例えば従来の二重巻き締め機等によって胴部材１１の一端に取り付けられたセーフティーアルミトップである。
胴部材１１の他の一端には、その開口縁に沿って、開口周縁部を内側に丸く巻き込んでなる円環状の蓋取付座１１ａが形成される。
蓋２０は、円盤状の底面２０ａと、短円筒状の胴部２０ｂと、ストッパー２０ｃと、台部２０ｄと、充填材２０ｅと、凸条２０ｆとからなる。
【０００７】
胴部２０ｂは、底面２０ａの周縁に沿って形成されるものであって、その外径が蓋取付座１１ａの内径と略等しく、本体１０の蓋取付座１１ａに緊密に嵌まり得る。
ストッパー２０ｃは、胴部２０ｂの自由端側の周縁部を外側に丸く巻き込んでなる。
凸条２０ｆは、胴部２０ｂの底面２０ａ側の縁に沿って、蓋２０の嵌め込みに支障が生じない程度に胴部２０ｂの外側に向けて膨出するよう設けられるものである。
【０００８】
台部２０ｄは、蓋２０を缶１の外側に向けて円柱状に膨らませてなるものであり、その高さが胴部２０ｂの高さと等しい。
この台部２０ｄの内側の凹みには、その表面の最高部の高さが底面２０ａの内側平面と略同一になるよう充填材２０ｅが充填されている。
この充填材２０ｅは、台部２０ｄの内側の凹みに発泡樹脂等を直接流し込んでなるものである。
内蓋３０は、可撓性のある素材を成形して得られるものであって、その外径が本体１０の胴部材１１の内径と略等しい円盤状の部材であり、補強のためにその周縁に沿った所定領域が鋭角に折り曲げられている。
【０００９】
上記の缶１を用いて所望の物品を缶詰にするときは、本体１０をその開口が上を向くよう置き、所望の物品に天地があるときには、底板１２側に物品の天が位置するようその本体１０内にその物品を投入する。
そして、図２に示したように、内蓋３０の周縁が本体１０の蓋取付座１１ａに引っかかるよう内蓋３０を本体１０内に押し込み、その開口を内蓋３０で塞ぐ。
最後に、本体１０の開口に蓋２０を底面２０ａ側からパチンとなるまで強く押し込む。
このとき、本体１０と蓋２０は、図２及び図３に示したように、蓋２０の凸条２０ｆが本体１０の蓋取付座１１ａを越えて缶１の内側に入って引っ掛かり、蓋２０のストッパー２０ｃが本体１０の蓋取付座１１ａに圧着され、両者は強固に結合する。
【００１０】
この缶１においては、本体１０に蓋２０を押し込むだけで簡単に所望の物品を缶詰にすることができ、また、ぬいぐるみのようなかさばる物品を缶詰にする際に、本体１０にそのような物品を押し込んだとき、内蓋３０を使用すれば、その物品が本体１０の外へ飛び出すことを防ぐことができるので、本体１０に蓋２０を簡単に嵌め込むことができる。
【００１１】
また、本発明においては、蓋２０を本体１０に押し込むだけで缶詰にできるため、この缶１の封止を機械的に行なう場合には、その装置の構造を極めて単純なものとすることができる上、一台の装置で様々な大きさ、形状の缶でも封止できるようになり、利用者のニーズに応じたバラエティーに富んだ缶詰用の缶を提供できるようになる。
また、蓋２０には台部２０ｄが設けられているため、蓋２０を整然と積み重ねることができ、さらに、積み重ねられた蓋２０が嵌合し合うことがないので、その最下段の一枚だけを容易に抜き取ることが可能である。
このため、缶詰作業を機械的に行なう場合には、その缶詰装置内に多数の蓋２０を積み重ねてストックしておき、利用者が物品を投入し、缶詰装置の所定位置にセットされた本体１０に、蓋２０を一枚ずつ自動的に繰り出すことができるようになる。
【００１２】
なお、本発明は上記の実施例に限定されるものではない。
例えば、台部は蓋の底面の外面側に所要の高さの部材を取り付けて設けるようにしてもよく、また、その形状は環状であってもよく、また、その位置も蓋の中央でなくてもよい。
また、台部の凹みには、充填材に変えてその形状にあわせて予め成形されている部材を押し込むようにしたり、その開口部を封止し得る小蓋を取りつけるようにしてもよく、これらの場合、缶詰の魅力を高めるために、その凹み内にくじ札や占いが記された紙を投入しておくようにしてもよく、さらに、台部の凹みに小蓋を被せる場合は、その内部に景品を入れておくようにしてもよい。
【００１３】
また、内蓋には少なくとも一部にメッシュを設けたり、スリットを設けたり、周縁の一部に切り欠きを設けてもよく、また、その形状は充分な強度を得られるならばどのようなものであってもよく、さらに、内蓋は被包装物によっては設けなくてもよい。
また、蓋の少なくとも一部に剥離可能なテープによって封止されている通気孔を設け、例えばポプリのような香りのある物品を缶詰にしたときに、必要に応じてそのテープを剥がし、缶内部の香りが缶の外に漏れるようにしてもよい。
【００１４】
また、内蓋と缶詰にされる物品との間にコイルスプリングのような弾性体を仕込んでおき、缶が開封されたときに物品が飛び出すようにしてもよく、この場合、物品と弾性体の間に板状の部材を挟むように設け、弾性体が物品に食い込まないようにすることが推奨される。
さらに、缶及びその各部の形状、構造等は本発明の目的の範囲内で自由に設計変更できるものであり、本発明は上記の説明から当業者が容易に想到し得る総ての変更実施例を包摂するものである。
【００１５】
【発明の効果】
本発明に係る缶は上記のように構成されるので、本発明によるときは、消費者は購買意欲を掻き立てられ、積極的に利用するようになる。
【図面の簡単な説明】
【図１】本発明に係る缶の一実施例を示す立体構成断面図である。
【図２】図１に示した缶の封止状態を示す部分断面図である。
【図３】図２に示した本体部と蓋の結合状態を示す部分拡大断面図である。
【符号の説明】
１      缶
１０    本体
１１ａ  蓋取付座
１１    胴部材
１２    底板
１２ａ  プルタブ
２０    蓋
２０ａ  底面
２０ｂ  胴部
２０ｃ  ストッパー
２０ｄ  台部
２０ｅ  充填材
２０ｆ  凸条
３０    内蓋
【図１】
0003928831.tif 000002
【図２】
0003928831.tif 000003
【図３】
0003928831.tif 000004